(57)【要約】【課題】車輪は取付斜面部を設けたことにより形成された空間内に配置されることになり、車輪がバッグ本体の底面から大きく突出することがなく、引き回し走行性などの走行性能を高めることができると共に機内持込みサイズにおけるバッグ本体の収容量を多く確保することができる。【解決手段】バッグ本体１の前部に蓋部材２を開閉自在に設け、バッグ本体の背部に主体枠３を配設し、主体枠にハンドル４を伸縮調節自在に設け、バッグ本体の底部に車輪を設けてなり、バッグ本体の背部の背面と底面との交差角部Ｑに取付斜面部５を設け、取付斜面部に車輪６ｄを取り付けてなる。【選択図】図１
2010167050.tif 000002
【特許請求の範囲】
【請求項１】
バッグ本体の前部に蓋部材を開閉自在に設け、バッグ本体の背部に主体枠を配設し、該主体枠にハンドルを伸縮調節自在に設け、該バッグ本体の底部に車輪を設けてなるキャリーバッグにおいて、上記バッグ本体の背部の背面と底面との交差角部に取付斜面部を設け、該取付斜面部に上記車輪を取り付けてなることを特徴とするキャリーバッグ。
【請求項２】
上記取付斜面部の傾斜角度は上記バッグ本体の背面及び底面に対して略４５度であることを特徴とする請求項１記載のキャリーバッグ。
【請求項３】
上記蓋部材に上記バッグ本体を部分開閉可能な小蓋部材を設けてなることを特徴とする請求項１又は２記載のキャリーバッグ。
【請求項４】
上記取付斜面部に取り付け可能な座部と、該座部に緩衝部材を介して取り付けられた支持部材と、該支持部材の左右両側部に取り付けられた上記一対の車輪とからなるキャスターセットを形成し、該キャスターセットの該座部を上記取付斜面部に取替自在に取り付けてなることを特徴とする請求項１〜３のいずれか１項に記載のキャリーバッグ。
【請求項５】
上記バッグ本体及び上記蓋部材の面板材は板紙材からなることを特徴とする請求項１〜４のいずれか１項に記載のキャリーバッグ。
【発明の詳細な説明】
【技術分野】
【０００１】
本発明は、例えば、国内旅行や海外旅行、温泉旅行、買い物などにおいて各種の荷物を運搬する際に用いられるキャリーバッグに関するものである。
【背景技術】
【０００２】
従来、この種のキャリーバッグとして、バッグ本体の前部に蓋部材を開閉自在に設け、バッグ本体の背部に主体枠を配設し、主体枠にハンドルを伸縮調節自在に設け、バッグ本体の底部に車輪を設けてなる構造のものが知られている。
【先行技術文献】
【特許文献】
【０００３】
【特許文献１】特開平１０−３０４９２１号公報
【特許文献２】特開２００４−７３５３４号公報
【発明の概要】
【発明が解決しようとする課題】
【０００４】
しかしながらこれら従来構造の場合、上記車輪は上記バッグ本体の底部の底面に設けられており、このため、車輪がバッグ本体の底面から突出することになり、それだけ、引き回し走行性などの走行性能が低下することがあると共に機内持込みサイズの制約によってバッグ本体の収容量が小さくなることがあるという不都合を有している。
【課題を解決するための手段】
【０００５】
本発明はこのような不都合を解決することを目的とするもので、本発明のうちで、請求項１記載の発明は、バッグ本体の前部に蓋部材を開閉自在に設け、バッグ本体の背部に主体枠を配設し、該主体枠にハンドルを伸縮調節自在に設け、該バッグ本体の底部に車輪を設けてなるキャリーバッグにおいて、上記バッグ本体の背部の背面と底面との交差角部に取付斜面部を設け、該取付斜面部に上記車輪を取り付けてなることを特徴とするキャリーバッグにある。
【０００６】
又、請求項２記載の発明は、上記取付斜面部の傾斜角度は上記バッグ本体の背面及び底面に対して略４５度であることを特徴とするものであり、又、請求項３記載の発明は、上記蓋部材に上記バッグ本体を部分開閉可能な小蓋部材を設けてなることを特徴とするものであり、又、請求項４記載の発明は、上記取付斜面部に取り付け可能な座部と、該座部に緩衝部材を介して取り付けられた支持部材と、該支持部材の左右両側部に取り付けられた上記一対の車輪とからなるキャスターセットを形成し、該キャスターセットの該座部を上記取付斜面部に取替自在に取り付けてなることを特徴とするものであり、又、請求項５記載の発明にあっては、上記バッグ本体及び上記蓋部材の面板材は板紙材からなることを特徴とするものである。
【発明の効果】
【０００７】
本発明は上述の如く、請求項１記載の発明にあっては、バッグ本体内に例えば旅行用品などの各種の荷物を収納して蓋部材により閉口することができ、バッグ本体の背部の主体枠に設けられたハンドルを引き出し、ハンドルを持ってバッグ本体を斜めに倒した状態で車輪により引き回し走行して荷物を運搬することができ、この際、上記バッグ本体の背部の背面と底面との交差角部に取付斜面部を設け、この取付斜面部に上記車輪を取り付けてなるから、車輪は取付斜面部を設けたことにより形成された空間内に配置されることになり、車輪がバッグ本体の底面から大きく突出することがなく、それだけ、引き回し走行性などの走行性能を高めることができると共に機内持込みサイズにおけるバッグ本体の収容量を多く確保することができ、斜め引き回し状態において、取付斜面部の底面は接地面にほぼ平行となるので、バッグ本体内の荷重を確実に受けることができ、一層走行性能を高めることができる。
【０００８】
又、請求項２記載の発明にあっては、上記取付斜面部５の傾斜角度は上記バッグ本体１の背面及び底面に対して略４５度であるから、車輪は取付斜面部を設けたことにより形成された三角形状の空間内に配置されることになり、車輪がバッグ本体の底面から大きく突出することがなく、それだけ、引き回し走行性などの走行性能を高めることができると共に機内持込みサイズにおけるバッグ本体の収容量を多く確保することができ、斜め引き回し状態において、取付斜面部の底面は接地面にほぼ平行となるので、バッグ本体内の荷重を確実に受けることができ、一層走行性能を高めることができ、又、請求項３記載の発明にあっては、上記蓋部材に上記バッグ本体を部分開閉可能な小蓋部材を設けてなるから、蓋部材を全開口せず小蓋部材のみを開口することができ、使用の利便性を高めることができ、又、請求項４記載の発明にあっては、上記取付斜面部に取り付け可能な座部と、座部に緩衝部材を介して取り付けられた支持部材と、支持部材の左右両側部に取り付けられた上記一対の車輪とからなるキャスターセットを形成し、キャスターセットの座部を上記取付斜面部に取替自在に取り付けてなるから、使用の耐久性を高めることができ、車輪の故障等においてキャスターセットを取り替えることで対応することができ、又、請求項５記載の発明にあっては、上記バッグ本体及び上記蓋部材の面板材は板紙材からなるので、軽量化を図ることができると共に廃棄処理時においても環境に優しいものとなる。
【図面の簡単な説明】
【０００９】
【図１】本発明の実施の第一形態例の全体斜視図である。
【図２】本発明の実施の第一形態例の全体側面図である。
【図３】本発明の実施の第一形態例の部分断面図である。
【図４】本発明の実施の第一形態例の部分断面図である。
【図５】本発明の実施の第一形態例の部分背面図である。
【図６】本発明の実施の第一形態例の使用状態の部分側面図である。
【図７】本発明の実施の第一形態例の平面図である。
【図８】本発明の実施の第一形態例の側面図である。
【図９】本発明の実施の第一形態例の使用状態図である。
【図１０】本発明の実施の第二形態例の全体斜視図である。
【発明を実施するための形態】
【００１０】
図１乃至図１０は本発明の実施の形態例を示し、図１乃至図９は第一形態例、図１０は第二形態例である。
【００１１】
図１乃至図９の第一形態例において、１はバッグ本体であって、この場合、板紙材Ｗを折曲して背面板１ａ、左右の側面板１ｂ・１ｂ、上面板１ｃ及び底面板１ｄからなる前面が開口する箱状に形成し、各板紙材の重ね合わせ部分を複数個のリベットＲを用いて止着し、角部には板紙製の補強板をリベットＲで止着し、一方の側面板１ｂ及び上面板１ｃに取手部１ｅ・１ｅを取り付けている。
【００１２】
２は蓋部材であって、この場合、板紙材Ｗを折曲して前面板２ａ、左右の側面板２ｂ・２ｂ、上面板２ｃ及び底面板２ｄからなる背面が開口する箱状に形成し、各板紙材の重ね合わせ部分を複数個のリベットＲを用いて止着し、角部には板紙製の補強板をリベットＲで止着し、この蓋部材２の一方の側面板２ｂをバッグ本体１の一方の側面板１ｂに蝶番Ｆにより開閉自在に枢着し、蓋部材２の他方の側面板２ｂをバッグ本体１の他方の側面板１ｂに尾錠Ｇにより開閉自在に止着して構成している。
【００１３】
３は主体枠であって、上記バッグ本体１の背部にリベットＲにより取り付けられ、主体枠３にハンドル４を伸縮調節自在に設けて構成している。
【００１４】
５は取付斜面部であって、この場合、上記バッグ本体１の背部の背面板１ａの背面と底面板１ｄの底面との交差角部Ｑに取付斜面部５が設けられ、一方、取付斜面部５に取り付け可能な座部６ａと、座部６ａに弾性樹脂などの緩衝部材６ｂを介して取り付けられた支持部材６ｃと、支持部材５ｃの左右両側部にベアリング６ｅを介して車軸６ｆにボルト６ｇ及びナット６ｈにより取り付けられた樹脂製の一対の車輪６ｄ・６ｄとからなるキャスターセット６を形成し、このキャスターセット６の座部６ａを上記取付斜面部５にボルトＤにより取替自在に取り付け構成している。
【００１５】
この場合、上記取付斜面部５の傾斜角度θは上記バッグ本体１の背面及び底面に対して略４５度に形成され、かつ、上記蓋部材２の底部にゴムからなる接地足２ｅ・２ｅを取り付け、バッグ本体１が立設状態のとき、接地足２ｅ・２ｅと上記車輪６ｄ・６ｄとにより立設状態を保持するように構成され、又、この場合、上記蓋部材２に上記バッグ本体１を部分開閉可能な小蓋部材７が設けられ、この場合、小蓋部材７は、板紙材Ｗを折曲して前面板７ａ、左右の側面板７ｂ・７ｂ及び上面板７ｃからなる背面及び底面が開口する箱状に形成し、各板紙材の重ね合わせ部分を複数個のリベットＲを用いて止着し、角部には板紙製の補強板をリベットＲで止着し、この小蓋部材７の前面板７ａの下縁部を蓋部材２の前面板２ａに蝶番Ｆにより開閉自在に枢着し、小蓋部材７の上面板７ｃをバッグ本体１の上面板１ｃに尾錠Ｇにより開閉自在に止着して構成している。
【００１６】
この実施の第一形態例は上記構成であるから、バッグ本体１内に例えば旅行用品などの各種の荷物を収納して蓋部材２により閉口することができ、バッグ本体１の背部の主体枠３に設けられたハンドル４を引き出し、使用者Ｅがハンドル４を持ってバッグ本体１を斜めに倒した状態で車輪６ｄ・６ｄにより引き回し走行して荷物を運搬することができ、この際、上記バッグ本体１の背部の背面と底面との交差角部Ｑに取付斜面部５を設け、この取付斜面部５に上記車輪６ｄを取り付けてなるから、図３の如く、車輪６ｄ・６ｄは取付斜面部５を設けたことにより形成された三角形状の空間Ｓ内に配置されることになり、車輪６ｄ・６ｄがバッグ本体１の底面から大きく突出することがなく、それだけ、引き回し走行性などの走行性能を高めることができると共に機内持込みサイズにおけるバッグ本体１の収容量を多く確保することができ、斜め引き回し状態において、取付斜面部５の底面は接地面にほぼ平行となるので、バッグ本体１内の荷重を確実に受けることができ、一層走行性能を高めることができる。
【００１７】
この場合、上記取付斜面部５の傾斜角度θは上記バッグ本体１の背面及び底面に対して略４５度であるから、図６、図９の如く、斜め引き回し状態において、取付斜面部５の底面は接地面にほぼ平行となるので、バッグ本体１内の荷重を確実に受けることができ、一層走行性能を高めることができ、又、この場合、上記蓋部材２に上記バッグ本体７を部分開閉可能な小蓋部材７を設けてなるから、蓋部材２を全開口せず小蓋部材７のみを開口することができ、使用の利便性を高めることができ、又、この場合、上記取付斜面部５に取り付け可能な座部６ａと、座部６ａに緩衝部材６ｂを介して取り付けられた支持部材６ｃと、支持部材６ｃの左右両側部に取り付けられた上記一対の車輪６ｄ・６ｄとからなるキャスターセット６を形成し、キャスターセット６の座部６ａを上記取付斜面部５に取替自在に取り付けてなるから、使用の耐久性を高めることができ、車輪６ｄ・６ｄの故障等においてキャスターセット６を取り替えることで対応することができ、又、この場合、上記バッグ本体１及び上記蓋部材２の面板材は板紙材からなるので、軽量化を図ることができると共に廃棄処理時においても環境に優しいものとなる。
【００１８】
又、この場合、キャスターセット６は、取付斜面部５に取り付け可能な座部６ａと、座部６ａに弾性樹脂などの緩衝部材６ｂを介して取り付けられた支持部材６ｃと、支持部材５ｃの左右両側部にベアリング６ｅを介して車軸６ｆにボルト６ｇ及びナット６ｈにより取り付けられた一対の車輪６ｄ・６ｄとからなるので、緩衝部材６ｂにより地面の凹凸や障害物に対して緩衝作用を得ることができ、運搬を容易に行うことができ、かつ、キャスターセット６の座部６ａを上記取付斜面部５にボルトＤにより取替自在に取り付け構成しているから、ボルトＤにより容易に交換することができ、更に、ボルト６ｇ及びナット６ｈによりキャスタ６ｄ・６ｄを取り付けているので、キャスタ６ｄ・６ｄを容易に交換することができ、さらに、車輪６ｄ・６ｄはベアリング６ｅを介して車軸６ｆに取り付けられているので、車輪６ｄ・６ｄの回転が良好になされ、それだけ引き回し走行性能を向上することができる。
【００１９】
図１０の実施の第二形態例にあっては、上記小蓋部材７が存在しない蓋部材２とした別例構造を示すものである。
【００２０】
これら第二形態例にあっても、上記第一形態例と同様な作用効果を得ることができる。
【００２１】
尚、本発明は上記の形態例に限られるものではなく、バッグ本体１、蓋部材２、主体枠３、ハンドル４、取付斜面部５、車輪６ｄ、小蓋部材のの形態や構造は適宜変更して設計されるものである。
【００２２】
以上の如く、所期の目的を充分達成することができる。
【符号の説明】
【００２３】
Ｗ    板紙材
Ｑ    交差角部
Ｓ    空間
θ    傾斜角度
１    バッグ本体
２    蓋部材
３    主体枠
４    ハンドル
５    取付斜面部
６    キャスターセット
６ａ    座部
６ｂ    緩衝部材
６ｃ    支持部材
６ｄ    車輪
７    小蓋部材
【図１】
2010167050.tif 000003
【図２】
2010167050.tif 000004
【図３】
2010167050.tif 000005
【図４】
2010167050.tif 000006
【図５】
2010167050.tif 000007
【図６】
2010167050.tif 000008
【図７】
2010167050.tif 000009
【図８】
2010167050.tif 000010
【図９】
2010167050.tif 000011
【図１０】
2010167050.tif 000012